(57)【特許請求の範囲】
【請求項１】
カートリッジの外周面に表示され、かつ情報が記録されたバーコードを読み取るためのバーコードリーダーを備えたカートリッジのバーコード読み取り装置において、
カートリッジを移動させることにより、バーコードリーダーに対するバーコードの位置をずらすための移動手段と、
前記カートリッジを振動させるように前記移動手段を制御する制御装置と
を備えたことを特徴とするフィルムカートリッジのバーコード読み取り装置。
【請求項２】
カートリッジの外周面に表示され、かつ情報が記録されたバーコードを読み取るためのバーコードリーダーを備えたカートリッジのバーコード読み取り装置において、
カートリッジを保持した時にカートリッジが移動可能な隙間ができるようなカートリッジホルダーと、
カートリッジを保持した前記カートリッジホルダーを移動させることにより、バーコードリーダーに対するバーコードの位置をずらすための移動手段と、
前記カートリッジをカートリッジホルダー内で振動させるように前記移動手段を制御する制御装置と
を備えたことを特徴とするフィルムカートリッジのバーコード読み取り装置。
【請求項３】
カートリッジホルダーの移動方向が直角座標ｘ、ｙ、ｚにおけるｘ軸方向、ｙ軸方向、ｚ軸方向、ｘ軸回り、ｙ軸回り、ｚ軸回りのうちの１又は２以上の組み合わせであることを特徴とする請求項１又は２の何れか１項に記載のカートリッジのバーコード読み取り装置。
【発明の詳細な説明】
【０００１】
【産業上の利用分野】
本発明は、写真処理装置の自動化のためにカートリッジに印刷等によって表されているバーコードを読み取る装置の改良に関するものである。
【０００２】
【従来の技術】
フィルムカートリッジのバーコード読み取り装置は、一般にカートリッジホルダーにバーコードリーダーを装着し、カートリッジをカートリッジボルダーにセットした時にカートリッジに印刷されたバーコードをバーコードリーダーが読み取るように構成されている。
【０００３】
しかし、従来のフィルムカートリッジのバーコード読み取り装置は、バーコードリーダー及びカートリッジボルダーが定位置に固定され、しかも、カートリッジはカートリッジボルダーに完全に位置決めされた状態でセットされるように構成されていたので、カートリッジとバーコードリーダーとの位置関係は固定されたものとなっていた。
【０００４】
したがって、バーコードの一部にごみや汚れや傷等の不良個所があり、かつ、カートリッジがカートリッジボルダーにセットされた時に、この不良個所にバーコードリーダーの光が当たる場合には、ＣＲＣチェックやパリティチェックによってバーコードの判定が不可能になるという問題があった。
【０００５】
【発明が解決しようとする課題】
本発明は上記の点に鑑みてなされたものであって、その目的とするところは、バーコードに不良個所があっても、バーコードの判定が可能となるフィルムカートリッジのバーコード読み取り装置を提供することにある。
【０００６】
【課題を解決するための手段】
請求項１のカートリッジのバーコード読み取り装置は、
カートリッジの外周面に表示され、かつ情報が記録されたバーコードを読み取るためのバーコードリーダーを備えたカートリッジのバーコード読み取り装置において、
カートリッジを移動させることにより、バーコードリーダーに対するバーコードの位置をずらすための移動手段と、
前記カートリッジを振動させるように前記移動手段を制御する制御装置と
を備えたことを特徴とするものである。
【０００７】
請求項２のカートリッジのバーコード読み取り装置は、
カートリッジの外周面に表示され、かつ情報が記録されたバーコードを読み取るためのバーコードリーダーを備えたカートリッジのバーコード読み取り装置において、
カートリッジを保持した時にカートリッジが移動可能な隙間ができるようなカートリッジホルダーと、
カートリッジを保持した前記カートリッジホルダーを移動させることにより、バーコードリーダーに対するバーコードの位置をずらすための移動手段と、
前記カートリッジをカートリッジホルダー内で振動させるように前記移動手段を制御する制御装置と
を備えたことを特徴とするものである。
【０００８】
請求項３のカートリッジのバーコード読み取り装置は、請求項１又は請求項２に記載のカートリッジのバーコード読み取り装置において、
カートリッジの移動方向が直角座標ｘ、ｙ、ｚにおけるｘ軸方向、ｙ軸方向、ｚ軸方向、ｘ軸回り、ｙ軸回り、ｚ軸回りのうちの１又は２以上の組み合わせであることを特徴とするものである。
【００１０】
【発明の実施の形態】
カートリッジのバーコード読み取り装置は、カートリッジＣの外周面に表示されたバーコードＣ１に記録された情報（例えば、フィルムメーカー名、フィルムのＩＤナンバー、フィルムのコマ数、カートリッジのＩＤナンバー）を読み取るものであって、図１に示すように、バーコードリーダー１とカートリッジＣの移動手段２を備えている。
【００１１】
バーコードリーダー１及び移動手段２は制御装置（ＣＰＵ）３に接続されており、制御装置３にはカートリッジＣのバーコードＣ１の読み取りデータを表示するディスプレイ５が接続されている。
このカートリッジのバーコード読み取り装置は、写真自動処理装置に設けられている。
【００１２】
バーコードリーダー１は、発光側に設けられるバーコードＣ１の幅に対応した発光タイオードアレーと、受光側に設けられるラインイメージセンサーとを備えている。
発光タイオードアレーから照射されたレーザ光はバーコードＣ１に当たって再びバーコードリーダー１に戻り、バーコードリーダー１の出力信号は制御装置３にて読み取られ、バーコードＣ１に記録されたデータはディスプレイ５に表示される。
【００１３】
移動手段２は、バーコードリーダー１に対するバーコードＣ１の位置をバーコードＣ１の読み取りが可能な範囲内でずらすためのものであって、モーター２１と、このモーター２１にて正転・逆転するギア２２とラック２３とで構成されており、ラック２３はカートリッジホルダー４に固定されている。カートリッジホルダー４にはカートリッジＣをセットするための凹部４１が形成されており、この凹部４１の幅寸法Ｌ１はカートリッジＣの幅寸法Ｌ２よりも大きくなるように設定され、カートリッジＣをカートリッジホルダー４の凹部４１にセットした時には凹部４１内でカートリッジＣが移動可能となる隙間Ｑができ、カートリッジＣがカートリッジホルダー４内で振動できるようになっている。なお、カートリッジホルダー４の底部には読み取り用の窓が開口している。
【００１４】
したがって、ギア２２の正転・逆転を繰り返すことによってカートリッジホルダー４の移動を繰り返すと、カートリッジＣはカートリッジホルダー４の凹部４１内で振動してバーコードリーダー１に対するバーコードＣ１の位置が変化する。
【００１５】
これにより、バーコードＣ１に汚れや傷等の不良個所Ｃ２があっても、汚れや傷等がない正常な部分にバーコードリーダー１の光を当ててバーコードＣ１の内容を読み取ることができ、例えば、図２に示すように、バーコードＣ１の一部に不良個所（汚れ）Ｃ２があると、不良個所Ｃ２を回避した部位に光の照射位置（二点鎖線で示す）を変えることができる。
【００１６】
次に、以上のように構成されるカートリッジのバーコード読み取り装置により実行されるバーコーＣ１の読み取りを、図３に示すフローチャートに従って説明する。
【００１７】
まず、カートリッジＣをカートリッジボルダー４にセットし（ステップ１００）、制御装置３によりバーコードリーダー１にバーコードＣ１の読み取りを指令してバーコードＣ１の読み取りを開始する（ステップ１０１）。
【００１８】
次に、制御装置３による時間制御の後、バーコードリーダ−１から制御装置３への読み取り完了の信号の有無を確認する（ステップ１０２，１０３）
【００１９】
次に、読み取り完了の信号がない場合には、制御装置３から指令信号により移動手段２のギア２２の正転・逆転を繰り返すことによってカートリッジホルダー４を揺すって、カートリッジＣをカートリッジホルダー４内で振動させると共にカートリッジホルダー４を揺すった回数を制御装置３で管理し、規定回数揺することによりバーコードＣ１の読み取りが完了すればバーコードリーダー１が制御装置３に読み取り完了信号を出力してバーコードリーダー１によるバーコードＣ１の読み取りを終了させてディスプレイ５に読み取りデータを表示する（ステップ１０４，１０５）。
【００２０】
なお、カートリッジホルダー４を揺すった回数が規定回数に達せず、かつ、読み取り信号完了信号がない場合には、カートリッジホルダー４を更に揺する（ステップ１０５，１０３）。
【００２１】
一方、制御装置３が読み取り完了信号を確認した場合には、バーコードリーダー１によるバーコードＣ１の読み取りを終了させてディスプレイ５に読み取りデータを表示する（ステップ１０７，１０８）。
【００２２】
カートリッジＣを移動させる方向は、直角座標ｘ、ｙ、ｚにおけるｘ軸方向、ｙ軸方向、ｚ軸方向、ｘ軸回り、ｙ軸回り、ｚ軸回りのうちの１又は２以上の組み合わせであればよく、特に２以上の組み合わせであれば、バーコードＣ１の読み取りが更に確実なものとなる。
【００２３】
なお、写真自動処理装置のうちカートリッジＣを移動手段で移動させる構成のものについては、カートリッジＣの移動中にカートリッジＣを前記移動手段で振動させ、かつ、移動中のカートリッジＣのバーコードＣ１を読み取るバーコードリーダー１をカートリッジＣの移動経路に配設することにより、カートリッジＣの移動中であっても不良個所を回避してバーコードＣ１を読み取ることができ、判定しづらいバーコードＣ１の判定が可能となる。
【００２４】
【発明の効果】
以上の説明からも明らかなように、本発明のカートリッジのバーコード読み取り装置によると、バーコードに不良個所があっても、不良個所を回避して正常な部分のバーコードをバーコードリーダーにて読み取ることができ、しかも、バーコードリーダーやカートリッジを手で動かしてバーコードを走査するのと同じ効果を、カートリッジの移動手段でカートリッジを振動させるという、比較的簡単な装置で得ることができる。
【図面の簡単な説明】
【図１】本発明のカートリッジのバーコード読み取り装置の実施例を示すブロック図
【図２】同実施例によるバーコードリーダーの光のバーコードへの照射位置の変化を示す図
【図３】同実施例の処理手順を示すブロック図
【符号の説明】
Ｃ        カートリッジ
Ｃ１      バーコード
１        バーコードリーダー
２        移動手段
３        制御装置（ＣＰＵ）
４        カートリッジホルダー
【図１】
0003791031.tif 000002
【図２】
0003791031.tif 000003
【図３】
0003791031.tif 000004